(57)【要約】【課題】  鍵の弱打時および強打時のいずれにおいても、良好なタッチ感を得ることができる鍵盤楽器のフロントパンチングを提供する。【解決手段】  回動自在の鍵４の前部と筬３の間に配置され、押鍵に伴って回動する鍵４が当接する鍵盤楽器１のフロントパンチング１０であって、所定の弾性を有し、筬３上に設けられたブロック状の本体部１１と、本体部１１の鍵４側の表面から鍵４に向かって突出し、押鍵された鍵４が当接することにより圧潰可能な突起部１２と、を備える。【選択図】  図３
2011013461.tif 000002
【特許請求の範囲】
【請求項１】
回動自在の鍵の前部と筬の間に配置され、押鍵に伴って回動する前記鍵が当接する鍵盤楽器のフロントパンチングであって、
所定の弾性を有し、前記筬上に設けられたブロック状の本体部と、
前記本体部の前記鍵側の表面から前記鍵に向かって突出し、押鍵された前記鍵が当接することにより圧潰可能な突起部と、
を備えることを特徴とする鍵盤楽器のフロントパンチング。
【請求項２】
前記鍵の前部の下面には、当該鍵の長さ方向に延びるフロントピン穴が形成され、
前記筬には、前記フロントピン穴に係合した状態で、押鍵された前記鍵を案内するためのフロントピンが立設されており、
前記フロントパンチングは、その中心に上下方向に貫通するフロントピン挿入孔を有し、当該フロントピン挿入孔に前記フロントピンが挿入された状態で前記筬上に設けられており、前記突起部は、前記フロントピン挿入孔の両側において、前記フロントピン穴の長さ方向と直交する方向に延びていることを特徴とする請求項１に記載の鍵盤楽器のフロントパンチング。
【請求項３】
回動自在の鍵の前部と筬の間に配置され、押鍵に伴って回動する前記鍵が当接する鍵盤楽器のフロントパンチングであって、
当該フロントパンチングは、前記筬上に設けられるとともに、その硬度が前記鍵側から前記筬側に向かってより高くなるように構成されていることを特徴とする鍵盤楽器のフロントパンチング。
【請求項４】
前記フロントパンチングは、圧縮されたフェルトで構成され、
前記筬側の基部と、
針刺しによる軟化によって、前記基部よりも低い硬度を有する前記鍵側の表層部と、を備えることを特徴とする請求項３に記載の鍵盤楽器のフロントパンチング。
【請求項５】
前記フロントパンチングは、圧縮されたフェルトで構成され、
前記鍵側の表層部と、
硬化剤による硬化によって、前記表層部よりも高い硬度を有する前記筬側の基部と、を備えることを特徴とする請求項３に記載の鍵盤楽器のフロントパンチング。
【発明の詳細な説明】
【技術分野】
【０００１】
本発明は、回動自在の鍵の前部と筬の間に配置され、押鍵に伴って回動する鍵が当接する鍵盤楽器のフロントパンチングに関する。
【背景技術】
【０００２】
従来のこの種のフロントパンチングとして、例えば特許文献１に開示されたものが知られている。このフロントパンチングは、全体として円柱状のものであり、中央の防振部材と、その上面および下面に積層された２つの耐摩耗性部材で構成されている。
【０００３】
防振部材は、中心に孔を有する短円柱状のものであり、ウレタンフォームなどの粘弾性材から成る単一の部材で構成され、その硬度は均一である。この防振部材の硬度は、一般的にフロントパンチングに用いられるニードルパンチフェルトと比較し、非常に小さい。各耐摩耗性部材は、中心に孔を有する円盤状のものであり、人工皮革などで構成され、防振部材の上面および下面に貼り付けられている。以上の構成のフロントパンチングは、防振部材および各耐摩耗性部材のそれぞれの孔がフロントピンに通された状態で、筬の上面に設けられている。
【０００４】
このフロントパンチングでは、押鍵時、鍵が、上側の耐摩耗性部材を介してフロントパンチングに当接する。その際、防振部材は、その硬度が非常に小さいため、鍵の当接によって発生する振動を吸収する。その結果、鍵から筬などに伝達される振動が抑制されることによって、鍵の当接による雑音の発生が防止される。また、各耐摩耗性部材は、鍵の当接による防振部材の破損を防止する。
【先行技術文献】
【特許文献】
【０００５】
【特許文献１】実開平６−６０８９０号公報
【発明の概要】
【発明が解決しようとする課題】
【０００６】
一般に、フロントパンチングの硬度は、鍵のタッチ感に影響を及ぼすことが知られている。例えば、フロントパンチングの硬度が低い場合、鍵が弱打されたときには、柔らかい好ましいタッチ感が得られるのに対し、鍵が強打されたときには、打ち応えがなくなってしまう。一方、フロントパンチングの硬度が高い場合、鍵が強打されたときには、しっかりとした打ち応えのある好ましいタッチ感が得られるのに対し、鍵が弱打されたときには、柔らかいタッチ感が得られない。
【０００７】
これに対して、従来のフロントパンチングは、鍵の振動を抑制する防振部材の硬度が均一であるため、弱打時に柔らかく、かつ強打時に打ち応えのある好ましいタッチ感を得ることができない。
【０００８】
本発明は、以上のような課題を解決するためになされたものであり、鍵の弱打時および強打時のいずれにおいても、良好なタッチ感を得ることができる鍵盤楽器のフロントパンチングを提供することを目的とする。
【課題を解決するための手段】
【０００９】
上記の目的を達成するために、請求項１に係る発明は、回動自在の鍵の前部と筬の間に配置され、押鍵に伴って回動する鍵が当接する鍵盤楽器のフロントパンチングであって、所定の弾性を有し、筬上に設けられたブロック状の本体部と、本体部の鍵側の表面から鍵に向かって突出し、押鍵された鍵が当接することにより圧潰可能な突起部と、を備えることを特徴とする
【００１０】
この鍵盤楽器のフロントパンチングによれば、鍵が押鍵されると、鍵の前部がフロントパンチング側に向かって回動し、その本体部から突出する突起部にまず当接する。それにより、突起部は鍵の前部で押圧されることによって潰れ、その後、鍵は本体部に当接する。
【００１１】
このため、鍵が弱打された場合には、鍵の回動速度が遅く、突起部がゆっくり潰されるため、主として突起部の変形により、柔らかいタッチ感を得ることができる。また、鍵が強打された場合には、鍵の回動速度が速く、突起部が瞬時に潰れるため、主として本体部の全体で鍵の衝撃を受けることにより、打ち応えのあるタッチ感を得ることができる。以上の結果、鍵の弱打時および強打時のいずれにおいても、良好なタッチ感を得ることができる。
【００１２】
請求項２に係る発明は、請求項１に記載の鍵盤楽器のフロントパンチングにおいて、鍵の前部の下面には、鍵の長さ方向に延びるフロントピン穴が形成され、筬には、フロントピン穴に係合した状態で、押鍵された鍵を案内するためのフロントピンが立設され、フロントパンチングは、その中心に上下方向に貫通するフロントピン挿入孔を有し、フロントピン挿入孔にフロントピンが挿入された状態で筬上に設けられており、突起部は、フロントピン挿入孔の両側において、フロントピン穴の長さ方向と直交する方向に延びていることを特徴とする。
【００１３】
この構成によれば、フロントパンチングは、その中心に上下方向に貫通するフロントピン挿入孔を有し、フロントピン挿入孔にフロントピンが挿入されている。押鍵に伴い、鍵の前部は、鍵の長さ方向に延びるフロントピン穴に係合するフロントピンによって案内されながら回動し、フロントパンチングの突起部と当接する。この突起部は、フロントピン挿入孔の両側において、フロントピン穴の長さ方向と直交する方向に延びているため、上述したようなフロントピンおよびフロントピン穴が設けられている場合において、鍵の前部の下面のフロントピン穴以外の部分によってバランス良く潰され、その結果、請求項１の発明による前述した作用を良好に得ることができる。
【００１４】
上記の目的を達成するために、請求項３に係る発明は、回動自在の鍵の前部と筬の間に配置され、押鍵に伴って回動する鍵が当接する鍵盤楽器のフロントパンチングであって、フロントパンチングは、筬上に設けられるとともに、その硬度が鍵側から筬側に向かってより高くなるように構成されていることを特徴とする。
【００１５】
この鍵盤楽器のフロントパンチングによれば、鍵が押鍵されると、鍵の前部が、筬側に向かって回動し、筬上に設けられたフロントパンチングと当接する。フロントパンチングの硬度は、鍵側から筬側に向かってより高くなっている。このため、鍵が弱打された場合には、鍵の回動速度が遅く、フロントパンチングの鍵側の硬度が比較的低い部分がゆっくりと圧縮されるため、主としてその部分の変形により、柔らかいタッチ感を得ることができる。また、鍵が強打された場合には、鍵の回動速度が速く、鍵側の硬度が比較的低い部分が瞬時に圧縮されるため、主としてフロントパンチングの筬側の硬度が比較的高い部分で鍵の衝撃を受けることにより、打ち応えのあるタッチ感を得ることができる。以上の結果、鍵の弱打時および強打時のいずれにおいても、良好なタッチ感を得ることができる。
【００１６】
請求項４に係る発明は、請求項３に記載の鍵盤楽器のフロントパンチングにおいて、フロントパンチングは、圧縮されたフェルトで構成され、筬側の基部と、針刺しによる軟化によって、基部よりも低い硬度を有する鍵側の表層部と、を備えることを特徴とする。
【００１７】
この構成によれば、フロントパンチングは、圧縮されたフェルトで構成されることにより、その密度が通常の非圧縮のフェルトよりも高くなっている。また、フロントパンチングの鍵側の表層部の硬度は、針刺しによる軟化によって、筬側の基部よりも低くなっており、それにより、フロントパンチングの硬度は、鍵側から筬側に向かってより高くなっている。したがって、請求項３の発明による前述した作用を得ることができる。
【００１８】
また、針刺しの程度により、表層部の柔らかさを調整できるため、演奏者の好みに応じた、弱打時の柔らかいタッチ感を得ることができる。
【００１９】
また、フロントパンチングは、圧縮されたフェルトで構成されていて、その密度が高いため、サンドペーパーなどを用いて、型くずれすることなく、容易にかつ精度良く切削することができる。それにより、フロントパンチングの設置高さを容易に調整できるため、同じ目的のために使用されていた従来の紙パンチングを省略または削減でき、ひいては鍵盤楽器の製造コストを削減することができる。
【００２０】
請求項５に係る発明は、請求項３に記載の鍵盤楽器のフロントパンチングにおいて、フロントパンチングは、圧縮されたフェルトで構成され、鍵側の表層部と、硬化剤による硬化によって、表層部よりも高い硬度を有する筬側の基部と、を備えることを特徴とする。
【００２１】
この構成によれば、請求項４と同様、フロントパンチングは、圧縮されたフェルトで構成されている。また、フロントパンチングの筬側の基部の硬度は、硬化剤による硬化によって、鍵側の表層部よりも高くなっており、それにより、フロントパンチングの硬度は、鍵側から筬側に向かってより高くなっている。したがって、請求項３の発明による前述した作用を得ることができる。
【００２２】
また、硬化剤の量や種類を変更することにより、基部の硬さを調整できるため、演奏者の好みに応じた、強打時の打ち応えのあるタッチ感を得ることができる。
【００２３】
また、請求項４と同様、フロントパンチングは、圧縮されたフェルトで構成されていて、その密度が高いため、サンドペーパーなどを用いて容易にかつ精度良く切削できるため、従来の紙パンチングを省略または削減し、鍵盤楽器の製造コストを削減することができる。
【図面の簡単な説明】
【００２４】
【図１】本発明の第１実施形態によるフロントパンチングを適用したグランドピアノの鍵盤装置を、離鍵状態において示す部分拡大斜視図である。
【図２】鍵の前部を示す部分拡大底面図である。
【図３】図１の鍵盤装置の部分拡大側断面図である。
【図４】第１実施形態によるフロントパンチングの斜視図である。
【図５】第１実施形態の変形例によるフロントパンチングを適用した鍵盤装置の部分拡大側面図である。
【図６】第２実施形態によるフロントパンチングを適用した鍵盤装置の部分拡大側断面図である。
【図７】第２実施形態の変形例によるフロントパンチングを適用した鍵盤装置の部分拡大側面図である。
【図８】第３実施形態によるフロントパンチングを適用した鍵盤装置の部分拡大側断面図である。
【図９】第３実施形態の変形例によるフロントパンチングを適用した鍵盤装置の部分拡大側面図である。
【発明を実施するための形態】
【００２５】
以下、図面を参照しながら、本発明の好ましい実施形態を詳細に説明する。図１は、第１実施形態によるフロントパンチングを備えたグランドピアノ（以下「ピアノ」という）１の鍵盤装置２を、離鍵状態において示している。なお、以下の説明では、ピアノ１を演奏者から見た場合の手前側を「前」、奥側を「後」とし、さらに左側および右側を「左」および「右」として、説明を行うものとする。
【００２６】
この鍵盤装置２は、筬３と、筬３に載置された複数の鍵４（白鍵および黒鍵をそれぞれ１つのみ図示）と、各鍵４と筬３の間に配置されたフロントパンチング１０などを備えている。
【００２７】
筬３は、左右方向に延びる筬前５および筬中６などを井桁状に組み立てたものであり、棚板（図示せず）上に載置されている。また、筬３の上面の各鍵４に対応する位置において、筬前５にはフロントピン７が、筬中６にはバランスピン８が、それぞれ立設されている。
【００２８】
各鍵４は、前後方向に延び、その中央に形成されたバランスピン孔４ａを介して、バランスピン８に回動自在に支持されている。また、図２および図３に示すように、鍵４の前部の下面には、前後方向に延びるフロントピン穴４ｂが形成されており、このフロントピン穴４ｂは、フロントピン７に上下方向に移動自在に係合している。また、鍵４の下面のフロントピン穴４ｂの左右両側には、それらの全体にわたって突起部係合溝４ｃが形成されている。この突起部係合溝４ｃは、フロントピン穴４ｂよりも若干短い所定の前後方向の幅と、非常に浅い所定の深さを有する。また、鍵４の後部には、キャプスタン９が取り付けられるとともに、このキャプスタン９を介して、弦を打弦するためのハンマーと、これを駆動するアクション（いずれも図示せず）が載置されている。
【００２９】
図３および図４に示すように、フロントパンチング１０は、所定の弾性を有するゴムなどの弾性体で構成され、本体部１１および突起部１２を一体に有している。本体部１１は、厚い円盤状のものであり、その中心には、上下方向に貫通するフロントピン挿入孔１１ａが形成されている。フロントパンチング１０は、本体部１１のフロントピン挿入孔１１ａにフロントピン７が挿入された状態で、複数の紙パンチング１３を介して、筬前５の上面に載置されている。この紙パンチング１３は、円形のシート状のものであり、フロントパンチング１０の設置高さを調整するために設けられている。
【００３０】
突起部１２は、本体部１１の上面のフロントピン挿入孔１１ａの左右両側の全体にわたって、左右方向に延びており、ほぼ半円形の断面を有し、鍵４に向かって上方に突出している。また、突起部１２には、その全体にわたって、フェルトなどで構成された緩衝材１４が貼り付けられている。この緩衝材１４を含む突起部１２の前後方向の幅は、鍵４の突起部係合溝４ｃよりも若干小さく、高さは突起部係合溝４ｃの深さよりも若干大きい。
【００３１】
次に、上記の構成の鍵盤装置２の動作を説明する。図３に示す離鍵状態では、鍵４は、その後部がハンマーおよびアクションの重さにより下方に押圧されているため、図１の反時計方向に回動しており、鍵４の前部がフロントパンチング１０の上方に位置している。この離鍵状態から鍵４が押鍵されると、鍵４は、その前部をフロントピン穴４ｂに係合するフロントピン７によって案内されながら、バランスピン８を中心として、同図の時計方向に回動する。この回動に伴い、鍵４の前部が下方に回動し、その突起部係合溝４ｃの上壁が突起部１２に当接し、これを押圧することにより、突起部１２が潰される。その後、鍵４の下面の突起部係合溝４ｃ以外の部分が、本体部１１に当接する。
【００３２】
このため、鍵４が弱打された場合には、鍵４の回動速度が遅く、突起部１２がゆっくり潰されるため、主として突起部１２の変形により、柔らかいタッチ感を得ることができる。また、鍵４が強打された場合には、鍵４の回動速度が速く、突起部１２が瞬時に潰れるため、主として本体部１１の全体で鍵４の衝撃を受けることにより、打ち応えのあるタッチ感を得ることができる。以上の結果、鍵４の弱打時および強打時のいずれにおいても、良好なタッチ感を得ることができる。
【００３３】
また、突起部１２は、フロントピン挿入孔１１ａの左右両側において、鍵４の突起部係合溝４ｃと同じ左右方向に延びていて、鍵４の前部の下面のフロントピン穴４ｂ以外の部分によってバランス良く潰されるので、上記の効果を良好に得ることができる。
【００３４】
なお、本実施形態では、フロントパンチング１０を、ゴムなどの弾性体で構成しているが、これに代えて、ダイラタント特性（外力が急激に作用したときに硬い状態になり、それ以外のときには柔らかい状態になるという特性）を有する材料で構成してもよい。それにより、鍵４が弱打された場合には、鍵４の押圧力が緩やかに作用し、フロントパンチング１０が柔らかい状態に維持されるため、柔らかいタッチ感を得ることができる。一方、鍵４が強打された場合には、押圧力が急激に作用し、フロントパンチング１０が硬い状態になるため、打ち応えのあるタッチ感を得ることができる。したがって、前述した突起部１２による効果と相まって、鍵４の弱打時および強打時の双方において、より良好なタッチ感を得ることができる。
【００３５】
また、フロントパンチング１０の本体部１１および突起部１２を、互いに一体の同じ材料で構成しているが、互いに別体にし、異なる材料で構成してもよい。それにより、鍵４の弱打時および強打時のそれぞれにおいてより好ましいタッチ感が得られる材料を選択することが可能になり、それにより、鍵４の弱打時および強打時の双方において、より良いタッチ感を得ることができる。
【００３６】
また、図５に示すように、鍵４の突起部係合溝４ｃを埋めるように、２つの緩衝材１５，１５をさらに取り付けてもよい。各緩衝材１５は、例えば左右２つのＬ字状のブッシングクロスで構成されており、その一部が、フロントピン穴４ｂの側壁に貼り付けられ、残りの部分が、突起部係合溝４ｃの上壁の左右の半部の全体に貼り付けられている。この構成により、鍵４が緩衝材１５を介して突起部１２に当接するため、鍵４の衝撃は、突起部１２に加えて、緩衝材１５によっても吸収される。その結果、弱打時に、さらに柔らかいタッチ感を得ることができる。
【００３７】
次に、図６を参照しながら、本発明の第２実施形態によるフロントパンチングを説明する。このフロントパンチング２０は、第１実施形態のフロントパンチング１０と同様、ピアノ１の鍵盤装置２に適用したものである。
【００３８】
このフロントパンチング２０は、あらかじめ加熱および圧縮された短円柱状のフェルトで構成されており、通常のフェルトよりも大きな所定の密度（例えば０．４ｇ／ｃｍ3）を有する。フロントパンチング２０は、その中心に上下方向に貫通するフロントピン挿入孔（図示せず）を有し、そのフロントピン挿入孔にフロントピン７が挿入された状態で、筬前５の上面に設けられている。第１実施形態で併用された紙パンチング１３は省略されている。フロントパンチング２０は、上側の表層部２０ａと、下側の基部２０ｂで構成されている。表層部２０ａには、加熱・圧縮された後、針刺しが施されており、それにより、表層部２０ａの硬度は、基部２０ｂよりも低い所定の硬度にあらかじめ調整されている。この調整により、フロントパンチング２０の硬度は、鍵４側から筬３側に向かってより高くなっている。
【００３９】
図６に示す離鍵状態から鍵４が押鍵されると、鍵４の前部は、下方に回動し、フロントパンチング２０に当接し、これを圧縮する。
【００４０】
この場合、鍵４が弱打されたときには、鍵４の回動速度が遅く、フロントパンチング２０のより柔らかい表層部２０ａが、ゆっくり圧縮されるため、主として表層部２０ａの変形により、柔らかいタッチ感を得ることができる。また、鍵４が強打されたときには、鍵４の回動速度が速く、表層部２０ａが瞬時に圧縮されるため、主として基部２０ｂで鍵４の衝撃を受けることにより、打ち応えのあるタッチ感を得ることができる。以上の結果、鍵４の弱打時および強打時のいずれにおいても、良好なタッチ感を得ることができる。
【００４１】
また、針刺しの程度により、表層部２０ａの柔らかさを調整できるため、演奏者の好みに応じた、弱打時の柔らかいタッチ感を得ることができる。
【００４２】
また、フロントパンチング２０は、加熱・圧縮されたフェルトで構成されていて、その密度が高いため、サンドペーパーなどを用いて、型くずれすることなく、容易にかつ精度良く切削することができる。それにより、フロントパンチング２０の設置高さを容易に調整できるため、従来の紙パンチングを省略でき、ひいてはピアノ１の製造コストを削減することができる。
【００４３】
なお、図７に示すように、図５の変形例と同様、鍵４の下面に緩衝材２１を取り付けてもよい。この変形例では、鍵４の下面に緩衝材取付溝４ｄが形成されている。この緩衝材取付溝４ｄは、フロントピン穴４ｂを取り囲むように配置され、その前後方向の長さは、フロントパンチング２０の直径よりも若干大きく、深さは、フロントピン穴４ｂよりも非常に浅い。また、緩衝材２１は、ブッシングクロスで構成されており、緩衝材取付溝４ｄのうちのフロントピン穴４ｂの左右両側の部分をそれぞれ埋めるように、緩衝材取付溝４ｄの上壁に貼り付けられている。この構成により、鍵４は、緩衝材２１，２１を介してフロントパンチング２０に当接するため、鍵４の衝撃は、フロントパンチング２０に加えて、緩衝材２１によっても吸収される。その結果、弱打時にさらに柔らかいタッチ感を得ることができる。
【００４４】
次に、図８を参照しながら、本発明の第３実施形態によるフロントパンチングを説明する。このフロントパンチング３０は、その硬度の分布の調整を、第２実施形態の針刺しに代えて、硬化剤を用いて行ったものである。
【００４５】
具体的には、このフロントパンチング３０は、フロントパンチング２０と同様、あらかじめ加熱・圧縮されたフェルトで構成されている。また、フロントパンチング３０は、上側の表層部３０ａと下側の基部３０ｂで構成されている。基部３０ｂには、加熱・圧縮された後、硬化剤（例えばハンマーフェルト用の硬化剤）が注入されており、それにより、基部３０ｂの硬度は、表層部３０ａよりも高い所定の硬度にあらかじめ調整されている。この調整により、第２実施形態のフロントパンチング２０と同様、フロントパンチング３０の硬度は、鍵４側から筬３側に向かってより高くなっている。フロントパンチング３０の他の構成は、フロントパンチング２０と同じである。
【００４６】
図８に示す離鍵状態から鍵４を押鍵すると、鍵４の前部は、下方に回動し、フロントパンチング３０に当接し、これを圧縮する。この場合、鍵４が弱打されたときには、主として表層部３０ａの変形により、柔らかいタッチ感を得ることができる。また、鍵４が強打されたときには、主として基部３０ｂで鍵４の衝撃を受けることにより、打ち応えのあるタッチ感を得ることができる。以上の結果、鍵４の弱打時および強打時のいずれにおいても、良好なタッチ感を得ることができる。
【００４７】
また、硬化剤の量や種類を変更することにより、基部３０ｂの硬さを調整できるため、演奏者の好みに応じた、強打時の打ち応えのあるタッチ感を得ることができる。また、第２実施形態と同様、フロントパンチング３０は、加熱・圧縮された密度の高いフェルトで構成されていて、容易にかつ精度良く切削できるため、従来の紙パンチングを省略し、ピアノ１の製造コストを削減することができる。
【００４８】
なお、図９に示すように、図７の変形例と同様、鍵４のフロントピン穴４ｂの左右両側において、緩衝材取付溝４ｄを埋めるように、２つの緩衝材２１，２１を取り付けてもよい。この構成により、鍵４が緩衝材２１を介してフロントパンチング３０に当接するので、弱打時にさらに柔らかいタッチ感を得ることができる。
【００４９】
なお、本発明は、説明した実施形態に限定されることなく、種々の態様で実施することができる。実施形態は、本発明をグランドピアノピアノに適用したものであるが、本発明は、これに限定されず、例えばアップライトピアノはもちろん、アコースティックピアノと同様の鍵を備える鍵盤楽器、例えば電子ピアノなどにも適用することが可能である。
【符号の説明】
【００５０】
１      ピアノ（鍵盤楽器）
３      筬
４      鍵
４ｂ    フロントピン穴
７      フロントピン
１０    フロントパンチング
１１    本体部
１１ａ  フロントピン挿入孔
１２    突起部
２０    フロントパンチング
２０ａ  表層部
２０ｂ  基部
３０    フロントパンチング
３０ａ  表層部
３０ｂ  基部
【図１】
2011013461.tif 000003
【図２】
2011013461.tif 000004
【図３】
2011013461.tif 000005
【図４】
2011013461.tif 000006
【図５】
2011013461.tif 000007
【図６】
2011013461.tif 000008
【図７】
2011013461.tif 000009
【図８】
2011013461.tif 000010
【図９】
2011013461.tif 000011